(57)【特許請求の範囲】
【請求項１】
有蓋有底筒状をなし蓋面にシャワー状の吐水を行うシャワー面を有するヘッド部と、前記ヘッド部へ送水を行うハンドル部とを備え、シャワー状の吐水を直線状の吐水に切替え可能なシャワーヘッドであって、
前記ヘッド部の側壁から直線状の吐水を行う線状ノズルを有し、
前記ヘッド部及び前記ハンドル部が互いに回動不能に設けられており、
前記ヘッド部は、シャワー状の吐水と直線状の吐水を切替える摺動弁体と前記摺動弁体を操作する操作部と、前記線状ノズルに送水するノズル送水口と、前記ノズル送水口より前記シャワー面に近接して設けられるシャワー送水口とを有し、
前記摺動弁体は、前記シャワー面に接離する方向に摺動して、前記ハンドル部から供給された水を前記シャワー面、又は前記線状ノズルに択一的に送水するよう構成されていることを特徴とするシャワーヘッド。
【請求項２】
前記線状ノズルは、前記ハンドル部が延出する方向と反対側において前記側壁に設けられている請求項１に記載のシャワーヘッド。
【請求項３】
前記摺動弁体は、弁箱内を摺動するよう構成され、
前記弁箱は、前記線状ノズルに送水するノズル送水口と、前記ノズル送水口より前記シャワー面に近接して設けられるシャワー送水口とを含み、
前記摺動弁体は、前記シャワー送水口、又は前記ノズル送水口に択一的に連通して前記ハンドル部から供給された水を前記シャワー面、又は前記線状ノズルに送水する切替え窓を含む請求項１、又は請求項２に記載のシャワーヘッド。
【請求項４】
前記操作部は、
前記摺動弁体から前記摺動弁体の摺動方向に延出する摺動杆と、
前記摺動杆が差し込まれ前記ヘッド部の側壁の周方向に回動操作可能に設けられる円弧状スリットと、
前記摺動杆に固定されるとともに前記円弧状スリットに沿って摺動する摺動片と
を備え、
前記円弧状スリットは、前記摺動片を前記摺動方向について変位させる傾斜部を有する請求項３に記載のシャワーヘッド。
【請求項５】
前記側壁は、前記線状ノズルからの吐水が通過するノズル窓と、前記円弧状スリットと一体的に回動するとともに前記ノズル窓を開閉する開閉扉とを有し、
前記円弧状スリットは、前記傾斜部に連続する平坦部を有し、
前記摺動杆が前記傾斜部を前記平坦部に向けて摺動すると前記切替え窓が前記シャワー送水口に連通し、前記摺動杆が前記平坦部を前記傾斜部から遠ざかる方へ摺動すると前記開閉扉が前記ノズル窓を閉鎖するよう構成されている請求項４に記載のシャワーヘッド。
【請求項６】
前記円弧状スリットは、前記側壁の少なくとも一部と一体的に回動するよう設けられる請求項４、又は請求項５に記載のシャワーヘッド。
【請求項７】
有蓋有底筒状をなし蓋面にシャワー状の吐水を行うシャワー面を有するヘッド部と、前記ヘッド部へ送水を行うハンドル部とを備え、シャワー状の吐水を直線状の吐水に切替え可能なシャワーヘッドであって、
前記ヘッド部の側壁から直線状の吐水を行う線状ノズルを有し、
前記ヘッド部及び前記ハンドル部が互いに回動不能に設けられており、
前記側壁は、前記線状ノズルからの吐水が通過するノズル窓を有することを特徴とするシャワーヘッド。
【請求項８】
有蓋有底筒状をなし蓋面にシャワー状の吐水を行うシャワー面を有するヘッド部と、前記ヘッド部へ送水を行うハンドル部とを備え、シャワー状の吐水を直線状の吐水に切替え可能なシャワーヘッドであって、
前記ヘッド部の側壁から直線状の吐水を行う線状ノズルを有し、
前記ヘッド部及び前記ハンドル部が互いに回動不能に設けられており、
前記線状ノズルの前方を開閉する開閉扉を備えることを特徴とするシャワーヘッド。
【発明の詳細な説明】
【技術分野】
【０００１】
この発明は、浴室やシャワールーム等のシャワーに用いられるシャワーヘッドに関し、特に、シャワー状の吐水と直線状の吐水の少なくとも２通りに吐水形式を切り替えられるシャワーヘッドに関する。
【背景技術】
【０００２】
近年、浴室のシャワーヘッドには、多数の散水孔からシャワー状に吐水する吐水形式に加えて、浴槽の清掃に用いるためや、あるいは体のツボを刺激してマッサージ効果を得るため、直線状にかつ集中的に吐水する吐水形式を具備したシャワーヘッドが提案されている（例えば、特許文献１乃至特許文献３参照）。
【０００３】
例えば、特許文献１では、底部に多数の噴流ノズルを備えたシャワー噴流発生器を備えるとともに、シャワーヘッド先端の側壁に膜状噴流を発生させるための放水スリットを備えた手持ち式シャワーが提案されている。特許文献１の手持ち式シャワーでは、シャワーヘッドを握りに対して回動することで、シャワー噴流発生器と放水スリットの放水方向を交換できるよう構成されている。
【０００４】
また、特許文献２では、複数の散水孔から通常のシャワーを吐水する散水板の中央に、直線状の吐水を行うノズルを設けたシャワーヘッドが提案されている。特許文献２のシャワーヘッドでは直線状の吐水を行うノズルを首振り状に旋回させることでマッサージ効果が得られるよう構成されている。
【０００５】
また、特許文献３ではシャワーの他、複数の吐水形態をとり得る吐水フェース部の中央に、スリット状の吐水口が設けられたシャワーヘッドが提案されている。特許文献３のシャワーヘッドは、吐水口を横長のスリットとすることで、浴室のタイルの横方向の目地に膜状の吐水が当てられるよう構成されている。
【先行技術文献】
【特許文献】
【０００６】
【特許文献１】特開２００２−２１９０６８号公報
【特許文献２】特開２００４−１０５７８８号公報
【特許文献３】特開２０１１−０２４７１５号公報
【発明の概要】
【発明が解決しようとする課題】
【０００７】
しかし、特許文献１乃至特許文献３のシャワーヘッドでは、強い水流が発生する線状、又は膜状の集中型の吐水形式が、比較的弱い水流が発生するシャワー状の吐水形式と同じ方向を向く場合が有るため、シャワーヘッドがどの吐水形式にセットされているか確認せずにシャワーを浴びると、集中型の吐水が体に当たって不快な思いしたり、場合によっては、目などを傷つけたりする虞がある。
本発明は、かかる課題を解決するためになされたものであり、吐水形式を確認せずにシャワーを浴びようとしても、集中型の吐水が体に当たることを抑制可能なシャワーヘッドの提供を目的とする。
【課題を解決するための手段】
【０００８】
上記課題を解決するためになされた発明は、有蓋有底筒状をなし蓋面にシャワー状の吐水を行うシャワー面を有するヘッド部と、前記ヘッド部へ送水を行うハンドル部とを備え、シャワー状の吐水を直線状の吐水に切替え可能なシャワーヘッドであって、 前記ヘッド部の側壁から直線状の吐水を行う線状ノズルを有し、 前記ヘッド部及び前記ハンドル部が互いに回動不能に設けられており、前記ヘッド部は、シャワー状の吐水と直線状の吐水を切替える摺動弁体と前記摺動弁体を操作する操作部と、前記線状ノズルに送水するノズル送水口と、前記ノズル送水口より前記シャワー面に近接して設けられるシャワー送水口とを有し、前記摺動弁体は、前記シャワー面に接離する方向に摺動して、前記ハンドル部から供給された水を前記シャワー面、又は前記線状ノズルに択一的に送水するよう構成されていることを特徴とする。
【０００９】
本発明のシャワーヘッドは、このように、ヘッド部の蓋面からシャワー状の吐水を行い、ヘッドの側面から直線状の吐水を行うよう構成されるとともに、ヘッド部とハンドル部が互いに回動不能に設けられているため、直線状の吐水がシャワー状の吐水と同じ方向を向くことがなく、シャワーを浴びようとして、誤って直線状の吐水を浴びてしまうことを抑制できる。
また、ノズル送水口よりシャワー面に近い位置にシャワー送水口を設け、これに合わせて摺動弁体（及びその切替え窓）が、シャワー面に接離する方向に摺動するようにしたので、ノズル送水口から線状ノズルまでの送水路とシャワー送水口からシャワー面までの送水路とが交差することが無いため、両送水路を短くかつ簡素化できる。
【００１０】
前記線状ノズルは、前記ハンドル部が延出する方向と反対側において前記側壁に設けられていることが好ましい。こうすることで線状ノズルからの吐水が届く範囲を広げることができる。
【００１１】
前記摺動弁体は、弁箱内を摺動するよう構成され、 前記弁箱は、前記線状ノズルに送水するノズル送水口と、前記ノズル送水口より前記シャワー面に近接して設けられるシャワー送水口とを含み、 前記摺動弁体は、前記シャワー送水口、又は前記ノズル送水口に択一的に連通して前記ハンドル部から供給された水を前記シャワー面、又は前記線状ノズルに送水する切替え窓を含むことが好ましい。
【００１２】
前記操作部は、前記摺動弁体から前記摺動弁体の摺動方向に延出する摺動杆と、前記摺動杆が差し込まれ前記ヘッド部の側壁の周方向に回動操作可能に設けられる円弧状スリットと、前記摺動杆に固定されるとともに前記円弧状スリットに沿って摺動する摺動片と
を備え、前記円弧状スリットは、前記摺動片を前記摺動方向について変位させる傾斜部を有することが好ましい。
このように、摺動杆を円弧状スリットに差し込み、摺動杆に固定した摺動片が円弧状スリットに沿って摺動するよう設けたので、円弧状スリットを回動させると、摺動杆及び摺動片は、相対的に円弧状スリットに沿って摺動する。傾斜部は摺動弁体の摺動方向に対し傾斜しているので、摺動片が傾斜部を摺動すると、摺動片及び摺動杆は、摺動弁体の摺動方向に摺動し、同時に摺動杆に連結された摺動弁体が摺動する。
このように、ヘッド部の側壁の周方向に回動する円弧状スリットにより、摺動弁を操作することで、ヘッド部の側壁に吐水方法を切替えるレバー等を配設することができる。
【００１３】
前記側壁は、前記線状ノズルからの吐水が通過するノズル窓と、前記円弧状スリットと一体的に回動するとともに前記ノズル窓を開閉する開閉扉とを有し、前記円弧状スリットは、前記傾斜部に連続する平坦部を有し、前記摺動杆が前記傾斜部を前記平坦部に向けて摺動すると前記切替窓が前記シャワー送水口に連通し、前記摺動杆が前記平坦部を前記傾斜部から遠ざかる方へ摺動すると前記開閉扉が前記ノズル窓を閉鎖するよう構成されていることが好ましい。このように、摺動杆が円弧状スリットの傾斜部を平坦部に向けて摺動すると摺動弁の切替え窓がシャワー送水口に連通し、摺動杆が円弧状スリットの平坦部を傾斜部から遠ざかる方へ摺動すると開閉扉が前記ノズル窓を閉鎖するよう構成したので、線状ノズルからの吐水がシャワー面からの吐水に切り替わったあと開閉扉が閉じ、開閉扉が開いた後に、シャワー面からの吐水が線状ノズルからの吐水に切り替わるため、開閉扉の内側に線状吐水が当たることがなく、線状ノズルからの吐水がシャワーヘッドの内側にたまって、使用後にシャワーヘッドから水滴が落ちることを抑制できる。
【００１４】
前記円弧状スリットは、前記側壁の少なくとも一部と一体的に回動するよう設けられることが好ましい。こうすることで、当該側壁の一部を回動することで、摺動弁の操作を行うことができるため、ヘッド部の水密性を高めることができる。
また、本発明は、有蓋有底筒状をなし蓋面にシャワー状の吐水を行うシャワー面を有するヘッド部と、前記ヘッド部へ送水を行うハンドル部とを備え、シャワー状の吐水を直線状の吐水に切替え可能なシャワーヘッドであって、 前記ヘッド部の側壁から直線状の吐水を行う線状ノズルを有し、 前記ヘッド部及び前記ハンドル部が互いに回動不能に設けられており、前記側壁は、前記線状ノズルからの吐水が通過するノズル窓を有することを特徴とするシャワーヘッドを含む。
加えて、本発明は、有蓋有底筒状をなし蓋面にシャワー状の吐水を行うシャワー面を有するヘッド部と、前記ヘッド部へ送水を行うハンドル部とを備え、シャワー状の吐水を直線状の吐水に切替え可能なシャワーヘッドであって、 前記ヘッド部の側壁から直線状の吐水を行う線状ノズルを有し、 前記ヘッド部及び前記ハンドル部が互いに回動不能に設けられており、前記線状ノズルの前方を開閉する開閉扉を備えることを特徴とするシャワーヘッドを含む。
【発明の効果】
【００１５】
以上説明したように、本発明のシャワーヘッドによれば、吐水形式を確認せずにシャワーを浴びようとしても、線状の吐水が体に当たることを抑制できる。
【図面の簡単な説明】
【００１６】
【図１】本発明の一の実施形態に係るシャワーヘッドの（ａ）正面図、（ｂ）平面図、（ｃ）側面図である。
【図２】図１のシャワーヘッドの前側から見た分解斜視図である。
【図３】図１のシャワーヘッドの後側から見た分解斜視図である。
【図４】図１のシャワーヘッドにおいて、シャワー面から吐水を行うべく摺動杆を円弧状スリットの平坦部に移動した様子をシャワー部を外して示した（ａ）正面図、（ｂ）平面図である。
【図５】図４（ｂ）におけるＩ−Ｉ線断面図である。
【図６】図５におけるII−II線断面図である。
【図７】（ａ）図６におけるIII−III線断面図である。（ｂ）（ａ）の円弧状スリットを示した要部拡大図である。
【図８】図１のシャワーヘッドにおいて、線状ノズルから吐水を行うべく摺動杆を円弧状スリットの傾斜部に移動した様子をシャワー部を外して示した（ａ）正面図、（ｂ）平面図である。
【図９】図８（ｂ）におけるIV−IV線断面図である。
【図１０】図９におけるVI−VI線断面図である。
【図１１】図１０におけるVII−VII線断面図である。
【図１２】図９におけるＶ−Ｖ線断面図である。
【図１３】図１のシャワーヘッドにおいて、摺動杆が円弧状スリットの平坦部の傾斜側端部に位置する状態を、シャワー部を外して示した（ａ）正面図、（ｂ）平面図である。
【図１４】図２の操作部を示した要部分解斜視図である。
【００１７】
以下、適宜図面を参照しながら、本発明の実施形態について詳述する。ただし、本発明は、以下の実施形態に限定されるものではない。
図１は、本発明の一の実施形態に係るシャワーヘッド１００を示している。シャワーヘッド１００は、図１に示したように、シャワー面１３１を有するヘッド部１０と、ハンドル部２０と、線状ノズル３２から線状の吐水を行う線状吐水部３０とを主に備え、ヘッド部１０の側壁１０ｂから線状の吐水を行うよう構成されている。
尚、以下の説明において、ヘッド部１０のシャワー面１３１側、底面１１ａ側を、それぞれ単に「上側」、「下側」といい、ヘッド部１０からハンドル部が延出する方向を単に「後側」といい、「後側」の逆側を単に「前側」というものとする。
【００１８】
ヘッド部１０は、図２に示すように、ケーシング１１、回動部１２、及びシャワー部１３とで形成される有蓋有底円筒状の箱体内部に、線状の吐水を行う線状吐水部３０と、シャワー状の吐水と直線状の吐水を切り替える摺動弁４０と、摺動弁４０を操作する操作部５０とを収容している。
【００１９】
ケーシング１１は、図２に示すように、底面１１ａと、側壁１１ｂとを有し、上側に開口した扁平の有底円筒状をなしている。ケーシング１１の側壁１１ｂの外面には、ハンドル部２０に連結する管状のハンドル接続部１１ｃが突設され、ハンドル接続部１１ｃと径方向の反対側に一対の円形貫通孔からなるノズル窓１１ｄ，１１ｄが設けられている。ケーシング１１の内部には、ハンドル接続部１１ｃから供給された水を摺動弁４０へ送水する連結口１１ｅが設けられている。
【００２０】
回動部１２は、図３に示すように、ヘッド部１０の周方向に沿って回動操作される円環状の回動操作部１２ａと、回動操作部１２ａから下方へ延出する２本の柱状部１２ｂ，１２ｃと、２本の柱状部１２ｂ，１２ｃの下端を連結する梁部１２ｄと、梁部１２ｄの中央から下方に突出する軸部１２ｅとを備えている。回動部１２は、ケーシング１１の底面１１ａの内面に設けられる円筒状の軸受け部１１ｆ（図５参照）の内部に軸部１２ｅを差し込み、図６に示すように、柱状部１２ｂ，１２ｃをケーシング１１の側壁１１ｂの内面に当接するようにして、ケーシング１１に嵌合される。
【００２１】
回動部１２の回動操作部１２ａは、図３に示すように、径方向内側かつ上方に突出する上側円弧状部１２６を備え、上側円弧状部１２６には、平面視で軸部１２ｅを中心とした円の一部からなる円弧状をなす上側円弧状スリット１２６ａが設けられている。
また、柱状部１２ｃは、図２に示すように、隣接する着脱板１２ｆと合わせてノズル窓１１ｄを開閉する開閉扉１２２を構成する。着脱板１２ｆは、回動部１２の内部へ収容される線状吐水部３０や、摺動弁４０等を収容する際に取り外せるよう、回動部１２とは別体に形成されている。
【００２２】
シャワー部１３は、図５に示すように、多数の散水孔が分散配置された円盤状のシャワー面１３１と、シャワー面１３１とともにシャワー吐水室１３４を形成する扁平の有底円筒状の基部１３３と、基部１３３に螺合されて基部１３３とともにシャワー面１３１を挟持する押え蓋１３２とを備えている。基部１３３の底壁中央には、図２に示すように、ネジ孔１３３ａを取り囲むようにして４つの扇形の貫通孔からなるシャワー吐水室流入口１３３ｂが設けられている。
【００２３】
ハンドル部２０は、略円筒状をなし、図５に示すように、内部を通してヘッド部１０へ水を供給する。ハンドル部２０は、不図示のホースにより給水栓に連結される上流端側がシャワー面側に湾曲し、下流端側が、ヘッド部１０のハンドル接続部１１ｃに嵌合され、接着剤やボルト・ナット等により固定されている。ハンドル部２０は、一対の切替えボタン２１，２１により、スライドバルブ２２を往復操作することにより、使用者の手元でシャワーヘッドの吐水と止水を切替えられるよう構成されている。
【００２４】
線状吐水部３０は、図６に示すように、略直方体の箱状をなすノズルケース３１と、ケーシング１１のノズル窓１１ｄ，１１ｄに先端を臨ませた一対の線状ノズル３２，３２とを備えている。線状ノズル３２は、図６に示すように、略円錐状の外ノズル３２１と、釣鐘状の内ノズル３２２とを有している。線状吐水部３０は、外ノズル３２１の内側に内ノズル３２２を収容する一対の略円錐状の内ノズル旋回室３１１，３１１を有し、一対の内ノズル旋回室３１１，３１１の後方（図６の右側）に、一対の内ノズル旋回室３１１，３１１の両方に連通するノズル用分配室３１２を有している。ノズル用分配室３１２は、図３に示すように、後方に流入口３１２ａを有している。ノズル用分配室３１２から内ノズル旋回室３１１へは、内ノズル旋回室３１１の軸心から偏心して設けられた４つの射出孔３１１ａから水が供給される。
【００２５】
摺動弁４０は、図２、図５に示すように、摺動弁体４４と、弁箱４５とを備えている。
摺動弁体４４は、図５に示すように、下側が開口した略直方体の箱状をなし、前面（図５では左側の面）に横長矩形の貫通孔からなる切替え窓４４ａを備えている。摺動弁体４４は、摺動杆５２が上下方向に貫通するようにして固定され、摺動杆５２とともに上下方向に摺動する。
【００２６】
弁箱４５は、図２、図５に示すように、摺動弁体４４より一回り大きな上側に開口した略直方体の箱状をなす弁箱本体４５１と、長板状の弁蓋４５２とからなる。弁箱本体４５１は、下側にケーシング１１の連結口１１ｅに連結される円形の連結口４５１ａを備え、前面に、ノズル用分配室３１２の流入口３１２ａに連通する矩形のノズル送水口４５１ｂを備えている。また、弁箱本体４５１は、上面側開口４５１ｃの前側端縁から前方へ舌状部４５１ｄを延出させ、上面側開口４５１ｃと舌状部４５１ｄを立壁４５１ｅで囲繞するよう構成している。
【００２７】
弁蓋４５２は、図２に示すように、長板状をなし、前後方向の中央から上方へ延出する連結部４５２ｃに、４つのシャワー吐水室流入口１３３ｂに接続される横断面がＣ字のシャワー送水口４５２ｄが設けられている。弁蓋４５２は、図５に示すように、弁箱本体４５１の上面側開口４５１ｃをシャワー送水口４５２ｄに連通する連通路４５３を備えている。
【００２８】
操作部５０は図１４に示すように、回動操作部１２ａの周方向（回動方向）に沿った円弧状をなす円弧状スリット５１と、摺動杆５２と、摺動片５３とを主に備えている。
円弧状スリット５１は、図７（ｂ）に示すように、上下方向に貫通するスリットの中間に断面が略円形の円形トンネル部５１ａを備え、円形トンネル部５１ａは、長手方向の一端側（図１４の左側）に上下方向に傾斜する傾斜部５１ｃを備え、長手方向の他端側（図１４の右側）に上下方向について平坦な平坦部５１ｄを備えている。円弧状スリット５１のかかる形状は、回動部１２と一体的に設けられている上側円弧状部１２６と、下側円弧状部５６を重ね合わせることにより形成されている。
【００２９】
つまり、上側円弧状部１２６は、図７（ｂ）に示すように、その上下方向に貫通する上側円弧状スリット１２６ａを有し、上側円弧状スリット１２６ａの下側の開口に沿って横断面が略半円をなす上側円弧状凹部１２６ｂを有している。そして、上側円弧状凹部１２６ｂは、一端側に上下方向に傾斜する傾斜部１２６ｃを有し、他端側に上下方向に平坦な平坦部１２６ｄを有している。
【００３０】
また、下側円弧状部５６は、図２に示すように、円弧状に湾曲した棒状をなし、上側円弧状スリット１２６ａと同様に、その上下方向に貫通する下側円弧状スリット５６ａを有している。下側円弧状スリット５６ａは、上側円弧状スリット１２６ａと同形をなし、上側の開口に沿って、横断面が略半円をなす下側円弧状凹部５６ｂを有している。また、図７（ｂ）に示すように、下側円弧状部５６も、上側円弧状部１２６と同様に、一端側に上下方向に傾斜する傾斜部５６ｃを有し、他端側に上下方向に平坦な平坦部５６ｄを有している。
かかる形状の上側円弧状スリット１２６ａと下側円弧状スリット５６ａを重ね合わせることで円弧状スリット５１、円形トンネル部５１ａ、円形トンネル部の傾斜部５１ｃ、及び平坦部５１ｄが形成される。
【００３１】
摺動杆５２は、図１４に示すように、棒状をなし、上端部に、略球形の摺動片５３がＣ字ワッシャーにより固着されている。摺動杆５２は、摺動片５３を円形トンネル部５１ａに収容するようにして、かつ長手方向を上下方向にして円弧状スリット５１に挿通され、円形トンネル部５１ａを摺動する摺動片５３により上下方向の動きを制御されながら円弧状スリット５１に沿って摺動する。
【００３２】
次に、上記のような構成を有するシャワーヘッド１００の使用方法、及び各部の構成による作用・効果について説明する。
シャワーヘッド１００を使用する際には、まず、不図示の水栓を開いて不図示のホースを通じハンドル部２０の内部へ水を供給する。続けて切替えボタン２１を操作して、スライドバルブ２２を開いて、図９に示すように、ハンドル部２０からヘッド部１０へと送水を行う。ハンドル部２０からヘッド部１０へ供給された水は、ケーシング１１の連結口１１ｅ、及び弁箱本体４５１の連結口４５１ａを介して摺動弁体４４の内部へ流入する。
【００３３】
ここで、線状の吐水をシャワー状の吐水に切り替える場合には、回動操作部１２ａを平面視で左回りに回動させる。すると、図８（ｂ）に示すように、摺動片５３が、円弧状スリット５１の一端側（図８（ｂ）の右上側）に当接した状態から、円弧状スリット５１の他端側へ相対的に摺動する。そして、図１３（ｂ）に示すように、摺動片５３が、傾斜部５１ｃから平坦部５１ｄに移動すると、図５に示すように、摺動片５３とともに摺動杆５２が、ヘッド部１０の上側へ摺動して、摺動弁体４４を上側へ摺動させる。こうして、摺動弁体４４の切替え窓４４ａが上面側開口４５１ｃ、連通路４５３を介して、シャワー送水口４５２ｄに連通し、ハンドル部２０から摺動弁体４４の内部へ供給された水が、シャワー吐水室流入口１３３ｂを通ってシャワー面１３１に供給される。
【００３４】
また、このように、摺動片５３が円弧状スリット５１の傾斜部５１ｃから平坦部５１ｄに移った直後においては、図１３（ａ）に示すように、ノズル窓１１ｄは開いている。この後、回動操作部１２ａを平面視で左側の回動範囲限界まで、即ち、図４(ｂ)に示すように、摺動片５３が、円弧状スリット５１の他端側（図４（ｂ）の右下）に当接するまで回動すると、回動操作部１２ａとともに、開閉扉１２２（１２ｃ，１２ｆ）が回動して、図４（ａ）に示すように、ノズル窓１１ｄを閉鎖する。
【００３５】
逆に、シャワー状の吐水から線状の吐水に切り替える場合には、図４（ｂ）の状態から図８（ｂ）の状態となるよう、回動操作部１２ａを平面視で右回りに回動させる。途中、図１３（ｂ）に示したように、摺動片５３が平坦部５１ｄの傾斜部５１ｃ側との境界部まで摺動すると、回動操作部１２ａとともに開閉扉１２２が回動して、図１３（ａ）に示すように、ノズル窓１１ｄが開放される。
【００３６】
しかるのち、さらに回動操作部１２ａを平面視右側へ回動すると、図８（ｂ）に示すように、摺動片５３が、円弧状スリット５１に対し相対的に摺動し、円弧状スリット５１の一端側（図８（ｂ）の右上側）の傾斜部５１ｃを下降する。すると、摺動杆５２が、図９に示すように、ヘッド部１０の下側へ摺動して、摺動弁体４４を下側へ摺動させる。こうして、摺動弁体４４の切替え窓４４ａが弁箱４５のノズル送水口４５１ｂに連通し、ハンドル部２０から摺動弁体４４へ供給された水が、ノズル送水口４５１ｂ、ノズル分配室の流入口３１２ａを通り、さらに、図１０、図１１に示すように、ノズル用分配室３１２、内ノズル旋回室の射出孔３１１ａ、及び内ノズル旋回室３１１を通って、ノズル孔３２１ａに供給される。
【００３７】
射出孔３１１ａは、内ノズル旋回室３１１の軸心から変位した位置に設けられているため、射出孔３１１ａから射出された水は、内ノズル旋回室３１１内でその軸周りに回流し、内ノズル３２２を首振り状に旋回させる。こうして、内ノズル３２２のノズル孔３２２ａからの吐水が首振り状に旋回する。
【００３８】
シャワーヘッド１００は、ヘッド部１０の蓋面１０ａからシャワー状の吐水を行い、側壁１０ｂから線状の吐水を行い、かつヘッド部１０がハンドル部２０に対し回動不能に設けられているので、シャワーを浴びようとして誤って線状の吐水を浴びてしまうことを抑制できる。
【００３９】
また、線状ノズル３２がヘッド部１０からハンドル部２０の延出する方向と逆側の側面（前側の側面）１０ｂに設けられているので、線状の吐水をより広い範囲に行うことができる。
【００４０】
また、摺動弁４０は、シャワー送水口４５２ｄがノズル送水口４５１ｂよりシャワーに近接して設けられ、摺動弁体４４の切替え窓４４ａがシャワー面１３１に接離する方向に摺動するので、シャワー送水口４５２ｄからシャワー面１３１までの送水路と、ノズル送水口４５１ｂからの線状ノズル３２までの送水路が交差することが無い。
【００４１】
また、ヘッド部１０の側壁の周方向に回動する円弧状スリット５１により、摺動弁４０を操作するようにしたので、ヘッド部１０の側壁１０ｂに吐水方法を切替えるレバー等を配設できる。
【００４２】
さらに、円弧状スリット５１を回動操作する回動操作部１２ａは、ヘッド部１０の側壁１０ｂの一部を構成するため、ヘッド部１０の水密性を十分に確保することができる。
【００４３】
本発明のシャワーヘッドは、上記の実施形態に限られず、例えば、シャワーヘッドは円筒形に限らず、角筒形等、各種の断面形状を有する筒型を用いることができる。ノズル部はハンドル部の延出する方向と逆側でない方向に向けるようにしてもよい、摺動弁に限らず、他の公知の弁を用いて吐水方向を切替えてもよい。摺動弁は、円弧状スリットに限らず、他のカム機構等、公知の機構を適宜に用いて操作してもよい。線状ノズルは、首振り式でなくともよいし、１個でも、３個以上でもよい。摺動弁体は、箱状でなく板状等他の形状を有していてもよく、切替え窓を２つ以上設けてもよい。
【符号の説明】
【００４４】
１００  シャワーヘッド
１０ヘッド部
１０ａ  蓋面
１０ｂ  側壁
１１ｄ  ノズル窓
１２２  開閉扉
１３１  シャワー面
２０  ハンドル部
３２  線状ノズル
４０  摺動弁
４４摺動弁体
４４ａ  切替え窓
４５弁箱
４５１ｂ  ノズル送水口
４５２ｄ  シャワー送水口
５０  操作部
５１  円弧状スリット
５１ｃ  傾斜部
５１ｄ  平坦部
５２  摺動杆
５３  摺動片
【図１】
0006700980.tif 000002
【図２】
0006700980.tif 000003
【図３】
0006700980.tif 000004
【図４】
0006700980.tif 000005
【図５】
0006700980.tif 000006
【図６】
0006700980.tif 000007
【図７】
0006700980.tif 000008
【図８】
0006700980.tif 000009
【図９】
0006700980.tif 000010
【図１０】
0006700980.tif 000011
【図１１】
0006700980.tif 000012
【図１２】
0006700980.tif 000013
【図１３】
0006700980.tif 000014
【図１４】
0006700980.tif 000015